(57)【特許請求の範囲】
【請求項１】
上下に並設した各金属板屋根材の上縁および下縁を折り曲げてはぜ継ぎしてなる既設の金属板横葺屋根の上に、これを被覆する新しい金属板横葺屋根を設置する屋根補修工法において、
断面ほぼハット形の受け金具と、ほぼ平板状の押え金具とからなるクランプ金具を用い、
上記受け金具は、その一方のフランジを既設の金属板屋根材のはぜ継ぎ部の隙間部分に圧入して位置決め固定し、上記押え金具を、上記はぜ継ぎ部および位置決めされた上記受け金具の頂面を覆うように配設し、
上記押え金具を、該押え金具と上記受け金具の頂面とを貫通するねじ部材で締付けて上記受け金具に固定し、
既設の金属板横葺屋根上に直線方向に配列する固定された上記押え金具の上に屋根取付下地材をねじ締め固定し、固定された屋根取付下地材の上に新しい金属板横葺屋根を設置することを特徴とする屋根補修工法。
【請求項２】
上記受け金具は、上記一方のフランジの先端に斜め上方へ延出する傾斜部を形成するとともに、他方のフランジの先端に上方へ起立する起立部を形成し、上記押え金具には設置状態で下側となる端縁に裏面側へ屈曲して延びる突出部を形成し、
上記傾斜部を形成した上記受け金具の一方のフランジをはぜ継ぎ部の隙間部分に圧入して上記受け金具を位置決め固定し、
上記押え金具は、設置時に、上記突出部を上記受け金具の起立部に当接させて上記受け金具に対して位置決めし、上記押え金具を上記受け金具にねじ締め固定する請求項１記載の屋根補修工法。
【請求項３】
上下に並設した各金属板屋根材の上縁および下縁を折り曲げてはぜ継ぎしてなる既設の金属板横葺屋根の上に、これを被覆する新しい金属板横葺屋根を設置する屋根補修工法において、
ほぼ平板状の受け金具と、該受け金具に回動可能に軸支せしめて上記受け金具に対して起倒可能としたほぼ平板状の押え金具と、該押え金具の一方の端部を上記受け金具に向け倒れ方向に付勢する付勢手段を備えたクランプ金具を用い、
上記受け金具は、上記一方の端部を既設の金属板屋根材のはぜ継ぎ部の隙間部分に圧入して位置決め固定し、上記押え金具で上記受け金具およびはぜ継ぎ部を覆うとともに、上記付勢手段により上記押え金具の一方の端部を上記はぜ継ぎ部に上から押圧せしめ、
既設の金属板横葺屋根上に直線方向に配列する上記押さえ金具の上に屋根取付下地材をねじ締め固定し、固定された屋根取付下地材の上に新しい金属板横葺屋根を設置することを特徴とする屋根補修工法。
【請求項４】
上記受け金具には、はぜ継ぎ部の隙間部分に圧入される一方の端部先端に斜め上方へ延出する傾斜部を形成するとともに、他方の端部寄りの位置に軸支部を形成した請求項３に記載の屋根補修工法。
【請求項５】
上記付勢手段として、上記受け金具の他方の端部から上方へ起立する弾性起立壁を形成し、上記押え金具の一方の端部を倒れ方向に回動させたときに他方の端部先端が上記弾性起立壁を撓ませつつ上昇し、上記端部先端が上記弾性起立壁を通過したときに上記弾性起立壁がその復元力で上記押え金具の他方の端部を押上げるようになした請求項３ないし請求項４に記載の屋根補修工法。
【発明の詳細な説明】
【０００１】
【発明の属する技術分野】
本発明は、老朽化した既設の金属板横葺屋根の上に新しい金属板横葺屋根を設置して補修する屋根補修工法に関するものである。
【０００２】
【従来の技術】
金属板横葺屋根として、金属板屋根材の上下両縁を折り曲げ、下段の屋根材と上段の屋根材とを端縁ではぜ継ぎした金属板横葺屋根が学校、体育館、住宅等で採用されている（例えば特許文献１、特許文献２参照）。
【０００３】
【特許文献１】
特開平０８−３０２９２２号公報
【特許文献２】
特開平０８−３０２９２３号公報
【０００４】
ところで既設の金属板横葺屋根が古くなったとき、これを撤去して新しい屋根を設置すると、工事期間中、学校や体育館は操業できなくなり、住宅は使用が不可能となる。そこで、既設の金属板横葺屋根を撤去することなく、その上に重ねて新しい金属板横葺屋根を設置することが行われている。
【０００５】
図６に、この補修工法の代表例を示す。図に示すように、互いにはぜ継ぎ部５で上下に接続された既設の金属板屋根材１の上に、断面ほぼハット形で長尺の屋根取付下地材４を互いに横幅方向に所定の間隔をおいて縦方向に配設してドリルタッピングねじ９０により、既設の金属板屋根材１を貫通させ、既設の金属垂木２にねじ締め固定し、この下地材４の上に新しい横葺きの金属板屋根材１Ａを設置する工法がとられている。
【０００６】
新設の金属板屋根材１Ａは、既設の屋根材１と同様の設置構造で、水下側から水上側へと順次はぜ継ぎにして設置している。図中３は既設の野地板であり、３Ａは新設の野地板である。
【０００７】
【発明が解決しようとする課題】
しかしながら、上記の従来工法においては、新設の屋根取付下地材４を固定させるために既設の金属板屋根材１や金属垂木２に穴あけがなされるから、建物内部に施工くず、ごみ、ちり等が落下する。従って、落下物防止のためにシートを張るなど大がかりな養生が必要である。また、新設の金属板屋根材１Ａは水下側から水上側へ順次取付施工してゆくから作業途中で一日の作業を終了する場合、新設の屋根取付金属下地材４および金属垂木２を貫通するタッピングねじ９０まわりなどからの降雨による漏水を防止するため、その都度、防水養生をしておかなくてはならず、大きな労力と工数がかかる。そこで本発明は、施工くず、ごみ、ちり等の落下物防止の養生や、工事途中の防水養生を必要とせず、作業性良好に、既設の金属板横葺屋根の上に新設の金属板横葺屋根を設置する屋根補修工法を提供することを課題としてなされたものである。
【０００８】
【課題を解決するための手段】
本発明は、上下に並設した各金属板屋根材の上縁および下縁を折り曲げてはぜ継ぎしてなる既設の金属板横葺屋根の上に、これを被覆する新しい金属板横葺屋根を設置する屋根補修工法において、断面ほぼハット形の受け金具と、ほぼ平板状の押え金具とからなるクランプ金具を用い、上記受け金具は、その一方のフランジを既設の金属板屋根材のはぜ継ぎ部の隙間部分に圧入して位置決め固定し、上記押え金具を、上記はぜ継ぎ部および位置決めされた上記受け金具の頂面を覆うように配設し、上記押え金具を、該押え金具と上記受け金具の頂面とを貫通するねじ部材で締付けて上記受け金具に固定し、既設の金属板横葺屋根上に直線方向に配列する固定された上記押え金具の上に屋根取付下地材をねじ締め固定し、固定された屋根取付下地材の上に新しい金属板横葺屋根を設置する（請求項１）。新しい屋根取付下地材を設置するのに既設の金属板屋根材や金属垂木に穴あけをしなくてよいから、建物を使用しつつ屋根補修を施工することができる。
【０００９】
上記受け金具は、上記一方のフランジの先端に斜め上方へ延出する傾斜部を形成するとともに、他方のフランジの先端に上方へ起立する起立部を形成し、上記押え金具には設置状態で下側となる端縁に裏面側へ屈曲して延びる突出部を形成し、上記傾斜部を形成した上記受け金具の一方のフランジをはぜ継ぎ部の隙間部分に圧入して上記受け金具を位置決め固定し、上記押え金具は、設置時に、上記突出部を上記受け金具の起立部に当接させて上記受け金具に対して位置決めし、上記押え金具を上記受け金具にねじ締め固定する（請求項２）。受け金具の一方のフランジの端部に傾斜部を形成したから、はぜ継ぎ部の隙間部分の隙間幅の大小にかかわらず、受け金具の一方のフランジを上記隙間に強固に係止できる。また押え金具はその突出部を受け金具の上記起立部に当接させることで容易かつ正確に位置決めすることができる。
【００１０】
また本発明は、上下に並設した各金属板屋根材の上縁および下縁を折り曲げてはぜ継ぎしてなる既設の金属板横葺屋根の上に、これを被覆する新しい金属板横葺屋根を設置する屋根補修工法において、ほぼ平板状の受け金具と、該受け金具に回動可能に軸支せしめて上記受け金具に対して起倒可能としたほぼ平板状の押え金具と、該押え金具の一方の端部を上記受け金具に向け倒れ方向に付勢する付勢手段を備えたクランプ金具を用い、上記受け金具は、上記一方の端部を既設の金属板屋根材のはぜ継ぎ部の隙間部分に圧入して位置決め固定し、上記押え金具で上記受け金具およびはぜ継ぎ部を覆うとともに、上記付勢手段により上記押え金具の一方の端部を上記はぜ継ぎ部に上から押圧せしめ、既設の金属板横葺屋根上に直線方向に配列する上記押え金具の上に屋根取付下地材をねじ締め固定し、固定された屋根取付下地材の上に新しい金属板横葺屋根を設置する（請求項３）。新しい屋根取付下地材を設置するのに既設の金属板屋根材や金属垂木に穴あけをしなくてもよいから、建物を使用しつつ屋根補修を施工することができる。また押え金具は付勢手段によりはぜ継ぎ部に押付けられるから、施工時に押え金具を受け金具にねじ締めする作業を必要としない。
【００１１】
上記受け金具には、はぜ継ぎ部の隙間部分に圧入される一方の端部先端に斜め上方へ延出する傾斜部を形成するとともに、他方の端部寄りの位置に軸支部を形成する（請求項４）。受け金具の一方の端部に傾斜部を形成したから、はぜ継ぎ部の隙間部の隙間幅の大小にかかわらず、受け金具の一方の端部を上記隙間に強固に係止できる。
【００１２】
上記付勢手段として、上記受け金具の他方の端部から上方へ起立する弾性起立壁を形成し、上記押え金具の一方の端部を倒れ方向に回動させたときに他方の端部先端が上記弾性起立壁を撓ませつつ上昇し、上記端部先端が上記弾性起立壁を通過したときに上記弾性起立壁がその復元力で上記押え金具の他方の端部を押上げるようにする（請求項５）。押え金具を回動させてその一方の端部をはぜ継ぎ部の上に当接させると、自動的に弾性起立壁により押え力が付勢される。
【００１３】
【発明の実施の形態】
以下、本発明の第１実施形態について図１、図２により説明するが、それに先立ち、既設の金属板横葺屋根の設置構造について説明する。図において、１、２および３はそれぞれ既設の金属板屋根材、金属垂木および野地板であり、１Ａは新設の金属屋根材、４は新設の屋根取付下地材、３Ａは新設の野地板、６は新設の屋根取付下地材４を固定するためのクランプ金具である。
【００１４】
互いに所定の間隔をおいて所定の勾配で設置した断面ハット形の各金属垂木２間には野地板３が架設してあり、金属垂木２の上には、上下に並設した金属板屋根材１からなる既設の金属板横葺屋根が形成してある。各金属板屋根材１の下縁は、裏面側へ断面ほぼＵ字形に折り曲げられ、更に反転して断面ほぼＵ字形に折り曲げられて全体が断面ほぼＳ字形に形成してある。また各金属板屋根材１の上縁は、表面側へほぼＵ字形に折り曲げられ、更に反転してほぼＵ字形に折り曲げられて断面ほぼＳ字形をなし、更にその先が断面ほぼ逆ハット形に延出せしめてある。
【００１５】
既設の金属板横葺屋根は、Ｓ字形曲げ部から延出する逆ハット形の延出部１１を金属垂木２に締付けビス９１でねじ締め固定し、続いて金属板屋根材１のＳ字形の曲げ部に、上段側の金属板屋根材１のＳ字形の下端を上から係合させてはぜ継ぎし、上段側の金属板屋根材１の逆ハット形の上縁延出部１１を金属垂木２に締付けビス９１でねじ締め固定し、以下順次、上側へと葺き上げて形成されている。
【００１６】
さて、屋根補修の本実施形態では、図２に示すクランプ金具６を用いる。クランプ金具６は、受け金具６１と押え金具６２とからなる。受け金具６１は、金属板を断面ほぼハット形に折り曲げ、一方のフランジの端縁に斜め上方へ立ち上がる傾斜部６１１を形成し、他方のフランジの端縁に上方へ起立する起立部６１２が形成してある。
【００１７】
押え金具６２は、ほぼ平板状の本体の設置時に下側となる端縁がＬ字状の裏面側へ折り曲げられて突出部６２１を形成し、本体の上記端縁寄りの位置には端縁に沿って凹状の段部６２２が形成してある。受け金具６１の頂面および押え金具６２の段部６２２にはそれぞれ２個所にビス取付け穴６１３および６２３が設けてある。押え金具６２には更に端縁と段部６２２との間の位置にビス取付け穴６２４が設けてある。
【００１８】
図１に示すように受け金具６１は、その一方のフランジの先端の傾斜部６１１をはぜ継ぎ部５における上側の金属板屋根材１のＵ字形の端末縁に押込んで位置決めする。次に上記押え金具６２をはぜ継ぎ部５およびこれに沿う受け金具６１の頂面を覆うように配し、押え金具６２の突出部６２１を受け金具６１の起立部６１２に重ね合わせて押え金具６２のビス取付け穴６２３と受け金具６１のビス取付け穴６１３とを合致させ、穴６２３、６１３にビス９２をねじ込んで受け金具６１と押え金具６２を一体にはぜ継ぎ部５に固定する。
【００１９】
このようにして、上下一段おきのはぜ継ぎ部５に固定され、水下側から水上側へ直線状に配列するクランプ金具６の押え金具６２の端部上面間に架けわたすように断面ハット形の新設の屋根取付下地材４を配設し、その左右のフランジに設けたビス取付穴４１からこれに対応する受け金具６１のビス取付穴６２４にビス９３をねじ込んで屋根取付下地材４を固定する。
【００２０】
そして、この各新設の屋根取付下地材４の間に新しい野地板３Ａを敷設し、下地材４上に新しい金属板横葺屋根を取付ける。取付けは、新しい金属板屋根材１Ａの上縁の断面逆ハット形延出部１１を屋根取付下地材４にねじ締めし、ねじ締めされた上縁に上段の新しい金属板屋根材１Ａの下縁をはぜ継ぎし、このようにして順次水上側へ葺き上げることにより行う。
【００２１】
なお、新設の金属板屋根材１Ａの上下縁の折り曲げ形状およびはぜ継ぎの形態等は既設の金属板屋根材１に制約されるものではない。
【００２２】
上記屋根補修工法によれば、既設の金属板屋根材や垂木などに穴あけ等の加工がなされないから、補修に際して建物内に施行くず、ごみ、ちり等が落下することなく、学校、体育館、住宅等を使用状態で屋根補修工事を施工することができる。かつ工事途中での日々の防水養生をする必要がなく、作業性も良好である。
【００２３】
なお、受け金具６１の傾斜部６１１は、これを圧入するはぜ継ぎ部５の隙間部分の隙間幅が小さい場合には必ずしも傾斜状にする必要はないが、傾斜状にすることで、隙間部分との係止力が強化される。また、受け金具６１の起立部６１２および押え金具６２の突出部６２１は必ずしもこれらを形成しなくてよいが、これらを形成することで、受け金具６１に対する押え金具６２の位置決めが容易になされ得る。
【００２４】
次に本発明の屋根補修工法の第２の実施形態を図３、図４、図５により、第１の実施形態との相違点を中心に説明する。既設の金属板横葺屋根の設置構造は第１の実施形態と同一であり、同一部材は同一符号で示す。
【００２５】
本補修工法では、図３に示すクランプ金具７を用いる。クランプ金具７は受け金具７１と、押え金具７２とからなる。受け金具７１はばね弾性を有する金属板からなり、幅方向に長い四角形状で、一方の端縁には斜め上方へ延出する傾斜部７１１が形成してある。また他方の端縁には本体から断面Ｌ字形に屈曲して上方へ延びる弾性起立壁７１２が形成してある。弾性起立壁７１２は断面ゆるやかなＳ字形で、上部が本体側へ膨出する形状としてある。また上記他方の端縁寄りの位置には本体の幅方向両側からそれぞれ起立する軸支部７１３が形成してあり、両軸支部７１３間には軸部材７１４が架設される。
【００２６】
一方、押え金具７２は幅が受け金具７１の幅とほぼ同じで長さ方向に長い矩形状の金属板からなり、長さ方向中間部で断面へ字形に折れ曲がった形状としてあり、一方の端縁７２１は表面側へ湾曲せしめてあり、他方の端縁７２２は裏面側へ湾曲せしめてある。そして幅方向両側には他方の端縁７２２寄りの位置に軸受部７２３が形成してある。押え金具７２は、その両側の軸受部７２３を受け金具７１の両側の軸支部７１３に重ね合わせ、両者に設けた孔を合致させて軸部材７１４を挿通させ、軸部材７１４の両端を軸支部７１３にかしめ固定することにより受け金具７１に取付けられる。押え金具７２は受け金具７１と対向し、軸部材７１３を中心に回動可能である。
【００２７】
クランプ金具７の受け金具７１は、第１の実施形態におけると同様に、図４に示すように一方の端縁の傾斜部７１１を既設の金属板屋根材１のはぜ継ぎ部の隙間部分に圧入することで既設の金属板屋根材１に位置決め係止せしめられる。
【００２８】
図５にクランプ金具７の固定工程を示す。受け金具７１は、図５（Ａ）に示すように押え金具７２を起立させた状態で傾斜部７１１により金属板屋根材１に位置決め係止する。
【００２９】
次に、図５（Ｂ）に示すように、押え金具７２は一方の端部７２１を下方へ押すと、他方の端部先端が受け金具７１の弾性起立壁７１２に当接するよに設定してあり、一方の端部７２１を更に押して受け金具７１の一端が係止されたはぜ継ぎ部５に向けて倒すと他方の端部７２２は上記起立壁７１２を外側へ撓ませつつ上昇し、図５（Ｃ）に示すように、他方の端部７２２が起立壁７１１の膨出部を越えた時点で一方の端部７２１が既設の金属板屋根材１に当接し、このとき起立壁７１２は形状復元してその上端が押え金具７２の他方の端部７２２を下側から押し上げる。これにより押え金具７２の一方の端部７２１は既設の金属板屋根材１に強く押付けられる。このように受け金具７１の起立壁７１１は、押え金具７２の押付け力を付勢する付勢手段として作用する。これにより受け金具７１と押え金具７２は一体に強固に既設のはぜ継ぎ部５に固定される。
【００３０】
押え金具７２に新設の屋根下地材４を固定し、その上に新設の金属板横葺屋根を設ける工程は上記第１の実施形態におけると実質的に同一で、図４に示すように新設の屋根下地材４をビス９４，９５により押え金具７２にねじ締め固定し、新設の金属板屋根材１Ａを、その断面逆ハット形の一端を新設の屋根下地材４にビス９６でねじ締めするとともに、金属板屋根材１Ａを相互にはぜ継ぎして葺き上げる。
【００３１】
本実施形態では、第１の実施形態と同様の作用効果が奏される。更に、クランプ金具設置時に、押え金具を受け金具にねじ締めする必要がなく、押え金具を回動操作するのみで、受け金具および押え金具が一体に既設の金属板屋根材に固定され、作業性を一層向上させることができる。
【００３２】
【発明の効果】
本発明によれば、既設の金属板横葺屋根の上に新しい金属板横葺屋根を設置する屋根補修工事に際し、既設の金属板横葺屋根に穴あけ加工をする必要がなく、従って建物内に施工くいず、ごみ、ちり等が落下しないから建物を使用状態で補修工事を行うことができる。かつ工事途中での日々の防水養生をしなくてすみ、労力および工数を軽減することができる。
【図面の簡単な説明】
【図１】図１（Ａ）は本発明の工法により補修された屋根の一部切欠き斜視図、図１（Ｂ）は図１（Ａ）のＩＢ−ＩＢ線に沿う断面図である。
【図２】上記工法の実施に用いるクランプ金具の斜視図である。
【図３】本発明の他の工法の実施に用いるクランプ金具の斜視図である。
【図４】上記他の工法により補修された屋根の要部断面図である。
【図５】上記他の工法の実施に用いるクランプ金具の固定工程を示す図である。
【図６】従来工法により補修された屋根の一部切欠き斜視図である。
【符号の説明】
１  既設の金属板屋根材
１Ａ  新設の金属板屋根材
２  既設の金属垂木
３  既設の野地板
３Ａ  新設の野地板
４  屋根取付下地材
５  はぜ継ぎ部
６  クランプ金具
６１  受け金具
６１１  傾斜部
６１２  起立部
６２  押え金具
６２１  突出部
７  クランプ金具
７１  受け金具
７１１  傾斜部
７１２  弾性起立壁（付勢手段）
７１３  軸支部
７２  押え金具
７２３  軸受部
【図１】
0003694302.tif 000002
【図２】
0003694302.tif 000003
【図３】
0003694302.tif 000004
【図４】
0003694302.tif 000005
【図５】
0003694302.tif 000006
【図６】
0003694302.tif 000007